(57)【要約】【課題】塩類濃度が高い汚泥水を脱水処理する際に、簡単な構造でしかも低コストで、セメント材料として用いても問題ない程度に塩類濃度を低下させた脱水汚泥を得ることができる多重回転盤型固液分離装置を提供する。【解決手段】複数の回転盤を嵌装した回転軸を上流側から下流側に複数並べて軸支し、上流側の回転盤の上方から汚泥含有水を供給して回転盤の隙間から液体を排除して分離することにより回転盤上に載置された脱水汚泥を回転盤の上流側から下流側に移動させて、回転盤の最下流側に設けられた脱水汚泥排出部から排出する多重回転盤型固液分離装置において、脱水汚泥排出部に至る途中の回転盤上の脱水汚泥を洗浄するための洗浄水供給装置が回転盤の上方に設けられていることを特徴とする多重回転盤型固液分離装置。【選択図】図１
2018103070.tif 000002
【特許請求の範囲】
【請求項１】
複数の回転盤を嵌装した回転軸を上流側から下流側に複数並べて軸支し、上流側の回転盤の上方から汚泥含有水を供給して回転盤の隙間から液体を排除して分離することにより回転盤上に載置された脱水汚泥を回転盤の上流側から下流側に移動させて、回転盤の最下流側に設けられた脱水汚泥排出部から排出する多重回転盤型固液分離装置において、
脱水汚泥排出部に至る途中の回転盤上の脱水汚泥を洗浄するための洗浄水供給装置が回転盤の上方に設けられていることを特徴とする多重回転盤型固液分離装置。
【請求項２】
前記汚泥含有水が凝集処理された汚泥水である、請求項１に記載の多重回転盤型固液分離装置。
【発明の詳細な説明】
【技術分野】
【０００１】
本発明は、下水処理場、し尿処理場、あるいはその他の施設において廃水の処理工程等で発生する汚泥水を脱水処理する多重回転盤型固液分離装置に関する。
【背景技術】
【０００２】
下水処理場、し尿処理場あるいは他の業種において発生する汚泥水は下記方法に代表される脱水処理方法によって減容化されている。まず、予め汚泥水を凝集処理して汚泥粒子を粗大化させ、次いでフィルタープレス、ベルトプレス、スクリュープレス、遠心脱水装置、真空圧利用脱水装置あるいは多重回転盤型固液分離装置等を用いて汚泥水中の水分を系外に排出しながら固形物濃度を高めるための、いわゆる脱水処理が施される（特許文献１参照。）。
【０００３】
上記脱水汚泥の含水率は無機性汚泥で４０〜７０％、有機性汚泥で８０〜９０％であり、脱水処理装置の性能を一定とした場合は、汚泥中に含まれる無機物と有機物の比率によって、得られる脱水汚泥の含水率は左右される。
【０００４】
当該脱水汚泥の最終処分としては、その含有物の特性に合わせて埋め立て処分、コンポスト化、焼却、炭化、燃料化あるいはセメント原料として用いるなど、様々な方法が実施されている。
【０００５】
しかしながら当該脱水汚泥には時として多量の塩類を含むことがあり、それぞれの最終処分工程において以下のような様々な弊害をもたらす。すなわち最終処分方式で焼却等のように熱を利用する場合には、排ガス中のＳＯｘやＮＯｘの増加等の弊害が生じ、また塩素イオンによる最終処分装置の機械部の腐食劣化の弊害が生じ得る。またセメント原料材料として利用する場合には塩類含有量増加によるセメント品質の低下を招く恐れがある。以上のような理由により、脱水汚泥に同伴する塩類を予め低減させることが望まれている。
【先行技術文献】
【特許文献】
【０００６】
【特許文献１】特開２０１６−１３５５６号公報
【発明の概要】
【発明が解決しようとする課題】
【０００７】
本発明は、塩類濃度が高い汚泥水を脱水処理する際に、簡単な構造でしかも低コストで、塩類濃度を低下させた脱水汚泥を得ることができる多重回転盤型固液分離装置を提供することを目的とする。
【課題を解決するための手段】
【０００８】
本発明者らは、従来から用いられている多重回転盤型固液分離装置の構造を若干変更するのみで容易に塩類濃度が低下された脱水汚泥が得られることを見出し、本発明に至った。
【０００９】
すなわち本願発明に係る多重回転盤型固液分離装置は、複数の回転盤を嵌装した回転軸を上流側から下流側に複数並べて軸支し、上流側の回転盤の上方から汚泥含有水を供給して回転盤の隙間から液体を排除して分離することにより回転盤上に載置された脱水汚泥を回転盤の上流側から下流側に移動させて、回転盤の最下流側に設けられた脱水汚泥排出部から排出する多重回転盤型固液分離装置において、脱水汚泥排出部に至る途中の回転盤上の脱水汚泥を洗浄するための洗浄水供給装置が回転盤の上方に設けられていることを特徴とするものからなる。このような多重回転盤型固液分離装置によれば、脱水汚泥排出部に至る途中の回転盤上の脱水汚泥を洗浄するための洗浄水供給装置を回転盤の上方に設けているので、当該洗浄水供給装置から流出する洗浄水によって脱水過程中の脱水汚泥を容易に洗浄することができ、得られる脱水汚泥中の塩類含有率を容易に、かつ低コストで低下させることができる。
【００１０】
本願発明において、前記汚泥含有水が凝集処理された汚泥水であることが好ましい。凝集された汚泥水を汚泥含有水として供給することにより、脱水効率を向上させることができる。
【発明の効果】
【００１１】
本発明に係る多重回転盤型固液分離装置によれば、塩類濃度の高い汚泥水から塩類含有量の低い脱水汚泥を得ることができ、脱水汚泥を熱処理する際に発生するＳＯｘやＮＯｘの量を低下させることができ、機械部の腐食劣化を低下させることができる。
また、塩類濃度の低い脱水汚泥が得られるので、得られた脱水汚泥をセメント材料に供する場合にその品質低下を防止することが可能となる。
【図面の簡単な説明】
【００１２】
【図１】本発明の一実施態様に係る多重回転盤型固液分離装置を示す概略説明図である。
【図２】図１の多重回転盤型固液分離装置の要部を拡大した斜視図である。
【図３】本発明の他の実施態様に係る多重回転盤型固液分離装置の概略説明図である。
【発明を実施するための形態】
【００１３】
以下、本発明を図面を用いて詳細に説明する。
図１は本発明の一実施態様に係る多重回転盤型固液分離装置を示す概略説明図であり、凝集槽１、多重回転盤型固液分離装置２、脱水汚泥受け槽３が、この順番で設置されている。
【００１４】
凝集槽１には攪拌機４が付設されており、また凝集槽１の上方には汚泥水の取出管５の一端が連通している。２は多重回転盤型固液分離装置であり、６は多重回転盤型固液分離装置２のハウジングである。ハウジング６の上端には汚泥水の取出管５の他端が接続されているとともに、ハウジング６の下端に分離液の放出管７が付設されている。
【００１５】
ハウジング６内には多数の楕円形の回転盤８を嵌装した回転軸９が上流側から下流側に並べられて軸を中心として回転可能に支持されており、各回転軸９の上方には固定部材１０が横設されている。
【００１６】
図２は多重回転盤型固液分離装置２の要部を拡大した斜視図であり、４本の固定部材１０の間に回転盤８が配置され、各回転盤８はスペーサーリング１１を介して回転軸９に嵌装されている。
【００１７】
各回転盤８の回転方向は同一であり、隣接する回転盤８は互いに接触せずに回転可能に配置されている。
【００１８】
ハウジング６の上部は上流側から下流側に傾斜している加圧板１２となっていて、当該加圧板１２の下流側には加圧機構１３が付設されており、加圧板支持軸１４を支点として加圧板１２を加圧機構１３で上下動させることにより、固定部材１０の先端部と加圧板１２の先端部の隙間の大きさを変更することができ、当該隙間が脱水汚泥排出部１５として機能する。脱水汚泥排出部１５から排出される脱水汚泥１６は脱水汚泥受け槽３に落下する。前記加圧機構１３としてはエアーシリンダー等が用いることができる。
【００１９】
多重回転盤型固液分離装置２内に設置された多数の回転盤８のほぼ中央部の回転盤８の上方には、脱水汚泥を洗浄するための洗浄水供給装置１７が設置されている。洗浄水供給装置１７としては、シャワーノズル、散水管等を用いることができる。
【００２０】
［作用］
次に本発明の多重回転盤型固液分離装置の操作を説明する。
図示していない消化汚泥処理装置等から排出される含水率９８％前後の無機塩類を多量に含む汚泥水が汚泥水供給管１８から凝集槽１に供給され、有機高分子凝集剤が単独で、あるいは有機高分子凝集剤と無機凝集剤が共に凝集剤添加管１９から添加され、攪拌機４で凝集槽１を撹拌することにより汚泥水中の固形物が凝集する。
【００２１】
凝集処理された汚泥水は汚泥水の取出管５から多重回転盤型固液分離装置２の上流側の回転盤８の上方に供給される。
【００２２】
汚泥水中の凝集された固形物は脱水汚泥１６となって回転盤８あるいは固定部材１０の上部に留まり、水は回転盤８あるいは固定部材１０の隙間から下部に落下する。回転盤８の上部あるいは固定部材１０の上部に脱水汚泥１６を載せながら各回転盤８の上流側から下流側に脱水汚泥１６を移動させ、かつこの間にも順次脱水汚泥中の水分は排除される。そして回転盤８の上部の脱水汚泥１６は最終的には固定部材１０と加圧板１２との隙間である脱水汚泥排出部１５から脱水汚泥１６として脱水汚泥受け槽３内に排出される。
【００２３】
なお上記脱水過程中において洗浄水供給装置１７から洗浄水が流出し、回転盤８上の脱水汚泥を洗浄する。
【００２４】
洗浄水は脱水汚泥１６中を浸透して塩類を洗い落とし、しかも洗浄排水は直ちに回転盤８の隙間から落下するので、それほど脱水効果を低下させることはなく、かつ比較的少量の洗浄水で脱水汚泥中の塩類含有率を低下させることができる。
【００２５】
洗浄水供給装置１７から流出させる水としては、清澄水のほか下水処理水等も使用でき、電気伝導率３，０００μＳ／ｃｍ未満の水であればいかなる水でも使用可能である。
【００２６】
含水率９８％前後の汚泥水は、多重回転盤型固液分離装置２の中程の回転盤８の上部では含水率９２％前後の脱水汚泥となり、脱水汚泥排出部１５から排出される際には、含水率８４％前後の脱水汚泥まで脱水される。またこの間に排除された洗浄排水を含む水は放出管７から放出される。
【００２７】
なお加圧機構１３で加圧板１２を上下に駆動することによって、加圧板１２の先端と固定部材１０の先端の隙間の大きさを変更することができ、当該隙間の大きさを変更することにより脱水汚泥排出部１５から排出される脱水汚泥１６の含水率をある程度調整することができる。すなわち上記隙間を狭くすればするほど得られる脱水汚泥の含水率は低下する。ただし上記隙間を狭くするほど単位時間当たりの処理量が低下することとなる。
【００２８】
図３は本発明の他の実施態様に係る多重回転盤型固液分離装置を示す概略説明図であり、ハウジング６内に多数の円形の回転盤８を嵌装した回転軸９が上流側から下流側に並べて軸支されており、下部の回転盤群２０はハウジング６内の一方の隅から他方の隅まで配置されているが、上部の回転盤群２１は中央部から下流側までの間のみに配置されている。
【００２９】
回転盤群２０および２１ともに、隣接する回転盤８はかみ合うように接触しており、それぞれの回転盤群における回転盤８の回転方向は同じであるが、回転盤群２０の回転盤８と回転盤群２１の回転盤８の回転方向は逆方向となっている。なお下部の回転盤群２０のほぼ中央部の上方には洗浄水供給装置１７が設置されている。
【００３０】
図３に示した多重回転盤型固液分離装置３２においても、汚泥水の取出管５から凝集された汚泥水が多重回転盤型固液分離装置３２の下部の回転盤群２０の上流側の回転盤８の上方に供給される。
【００３１】
汚泥水中の凝集された固形物は脱水汚泥１６となって回転盤８の上部に留まり、水は各回転盤８の隙間から下部に落下する。回転盤８の上部に脱水汚泥１６を載せながら各回転盤８の上流側から下流側に脱水汚泥１６を移動させ、かつこの間にも順次脱水汚泥１６中の水分が排除される。
【００３２】
また回転盤上の脱水過程の脱水汚泥は洗浄水供給装置１７から流出する洗浄水によって洗浄され、脱水汚泥１６中の塩類含有率は低下する。
【００３３】
下部の回転盤群２０の中央部から下流の回転盤８の上部に形成される脱水汚泥１６は上部の回転盤群２１の各回転盤８によって圧搾され、最終的には回転盤群２０および回転盤群２１の隙間である脱水汚泥排出部１５から脱水汚泥１６として排出される。
【００３４】
上記２つの実施態様の説明では汚泥水を予め凝集処理したが、処理対象となる汚泥水によっては凝集処理を省略することができる。また洗浄水供給装置１７を回転盤８の上方に一つだけ設置したが、汚泥水中の塩類濃度が高い場合は洗浄水供給装置１７を脱水汚泥１６の走行方向に向かって二つ以上設置してもよい。
【産業上の利用可能性】
【００３５】
本発明は、汚泥含有水を脱水処理する多重回転盤型固液分離装置として広く利用可能である。
【符号の説明】
【００３６】
１  凝集槽
２、３２  多重回転盤型固液分離装置
３  脱水汚泥受け槽
４  攪拌機
５  汚泥水の取出管
６  ハウジング
７  放出管
８  回転盤
９  回転軸
１０  固定部材
１１  スペーサーリング
１２  加圧板
１３  加圧機構
１４  加圧板支持軸
１５  脱水汚泥排出部
１６  脱水汚泥
１７  洗浄水供給装置
１８  汚泥水供給管
１９  凝集剤添加管
２０、２１  回転盤群
【図１】
2018103070.tif 000003
【図２】
2018103070.tif 000004
【図３】
2018103070.tif 000005